(57)【特許請求の範囲】
【請求項１】
肌当接面とその反対側の非肌当接面とを有し、前記肌当接面が透液性シートで覆われ、前記両面間に便保持部が形成されている使い捨ての着用物品において、
前記便保持部は、前記肌当接面内側に位置する頂部シートと、前記非肌当接面内側に位置して前記頂部シートと離間対向する底部シートと、前記両シート間に形成される空間部分とを有し、前記両シートが、繊維集合体を形成している熱可塑性合成繊維からなり、その繊維集合体は、３５ｇ／ｃｍ２の荷重下での厚さが２ｇ／ｃｍ２の荷重下で測定した当初の厚さの４０％以上となり、再び２ｇ／ｃｍ２の荷重に戻したときには、当初の厚さの７０％以上にまで弾性的に回復し得るものであり、前記底部シートの前記繊維集合体の繊維間隙の方が前記頂部シートの前記繊維集合体の繊維間隙より大きく、前記底部シートの内面には、前記頂部シートが接近したときに両シート間に空間を維持することができるように、前記底部シートにリブが形成されていることを特徴とする前記着用物品。
【請求項２】
前記両シートが、繊度１〜１００ｄｔｅｘの繊維を５０重量％含む熱可塑性合成繊維１００〜５０重量％と高吸水性繊維および高吸水性樹脂粒子のいずれか０〜５０重量％とからなる、坪量が５０〜１０００ｇ／ｍ２、厚さが５ｍｍのものである請求項１記載の着用物品。
【請求項３】
前記透液性シートと頂部シートとには、５ｍｍの径を有する透孔が形成されている請求項１記載の着用物品。
【請求項４】
前記頂部シートの内面には、前記底部シートが接近したときに両シート間に空間を維持することができるように、前記頂部シートに溝が形成されている請求項１記載の着用物品。
【請求項５】
前記底部シートの内面には、前記頂部シートが接近したときに両シート間に空間を維持することができるように、前記底部シートに溝が形成されている請求項１記載の着用物品。
【請求項６】
前記溝は、前記頂部シートの内面にあって、前記透孔につながっている請求項３または４記載の着用物品。
【請求項７】
前記溝は、幅と深さとが２ｍｍのものである請求項４〜６記載の着用物品。
【請求項８】
前記頂部シートの内面には、前記底部シートが接近したときに両シート間に空間を維持することができるように、前記頂部シートにリブが形成されている請求項１記載の着用物品。
【請求項９】
前記リブは、幅と高さとが２ｍｍである請求項１または８記載の着用物品。
【請求項１０】
前記着用物品が、該物品着用者の肛門周辺に対する当接部位を有し、該当接部位において前記透孔が占める面積割合が３０〜７０％の範囲にある請求項３または６のいずれかに記載の着用物品。
【請求項１１】
前記頂部シートと底部シートとが５０×４０ｍｍの範囲において離間対向している請求項１〜１０のいずれかに記載の着用物品。
【請求項１２】
前記非肌当接面が不透液性シートで覆われている請求項１〜１１のいずれかに記載の着用物品。
【請求項１３】
前記非肌当接面が透液性シートで覆われている請求項１〜１１のいずれかに記載の物品。
【請求項１４】
前記底部シートの下面側に前記底部シートとは別体の吸液性コアが形成されている請求項１〜１３のいずれかに記載の着用物品。
【請求項１５】
前記頂部シートの上面が透液性シートで覆われる一方、前記コアの下面が不透液性シートで覆われて、使い捨ておむつとして使用される請求項１４記載の着用物品。
【発明の詳細な説明】
【０００１】
【発明の属する技術分野】
この発明は、便、特に軟便を吸収保持するのに好適な使い捨ての着用物品に関する。
【０００２】
【従来の技術】
特開平１０−１９２３３９号公報に開示の使い捨て着用吸収性物品は、肌当接面に大便を収容する手段を有している。この収容手段は、大便透過域を有するトップシートと、トップシートと吸液性コアとの間に配置されたスペーサーとからなる。スペーサーは、パネルから作られており、大便透過口を有する頂壁部と、頂壁部の幅方向の両側で対向し、対称的に湾曲している側壁部とから形成されている。
【０００３】
【発明が解決しようとする課題】
前記公知着用物品では、これに体圧がかかると、スペーサーの側壁部が折れ曲がり、スペーサーによって形成されていた大便収容のための比較的大きな空間が潰れることがある。そうしたことによって、収容された大便が吸収性物品の外へ逆流し、物品着用者の肌を汚すことがある。
【０００４】
この発明が課題とするところは、前記公知の如く大便を収容するための空間を有する使い捨て着用物品に対し、その空間が潰れた場合でも大便の逆流を防ぐことができるように改良を加えることにある。
【０００５】
【課題を解決するための手段】
前記課題解決のために、この発明が対象とするのは、肌当接面とその反対側の非肌当接面とを有し、前記肌当接面が透液性シートで覆われ、前記両面間に便保持部が形成されている使い捨ての着用物品である。
【０００６】
かかる使い捨て着用物品において、この発明が特徴とするところは、次のとおりである。前記便保持部は、前記肌当接面内側に位置する頂部シートと、前記非肌当接面内側に位置して前記頂部シートと離間対向する底部シートと、前記両シート間に形成される空間部分とを有し、前記両シートが、繊維集合体を形成している熱可塑性合成繊維からなり、その繊維集合体は、３５ｇ／ｃｍ２の荷重下での厚さが２ｇ／ｃｍ２の荷重下で測定した当初の厚さの４０％以上となり、再び２ｇ／ｃｍ２の荷重に戻したときには、当初の厚さの７０％以上にまで弾性的に回復し得るものであり、前記底部シートの前記繊維集合体の繊維間隙の方が前記頂部シートの前記繊維集合体の繊維間隙より大きく、前記底部シートの内面には、前記頂部シートが接近したときに両シート間に空間を維持することができるように、前記底部シートにリブが形成されている。
【０００７】
【発明の実施の形態】
この発明に係る使い捨て着用物品として、図１の便処理用のパッド１を例にとり、この発明の詳細を説明すると、以下のとおりである。
【０００８】
図１，２は、パッド１の斜視図とそのＩＩ−ＩＩ線断面図である。パッド１は、着用者に対する肌当接面を形成する透液性の表面シート２と、肌当接面の反対側である非肌当接面を形成する不透液性の裏面シート３とを有し、表面シート２の内面側に位置する頂部シート６と、裏面シート３の内面側に位置する底部シート７と、これら両シート６，７間に形成された空間部分８とで便保持部４を形成している。表裏面シート２，３は、パッド１の周縁部外側で重なり合い、シール線９で互いに接合している。
【０００９】
表面シート２は、不織布や開孔プラスチックフィルムからなるもので、パッド１の中央部位であるパッド着用者の肛門周辺に当接させる部位には、大便、特に軟便が透過し得るように少なくとも５ｍｍ、より好ましくは少なくとも１０ｍｍの径を有する透孔１１が１つ以上形成されている。図示例のように透孔１１の平面形状が長径ａと短径ｂとを有する長円である場合には、短径ｂが少なくとも５ｍｍ、より好ましくは少なくとも１０ｍｍである。また、肛門周辺に当接させる前記部位には開口面積率が３０〜７０％となるように、多数の透孔１１が形成されている。パッド１を着用しているときに排泄される尿は、表面シート２が不織布であれば繊維間隙や透孔１１を通過して下方へ移動し、表面シート２が開孔プラスチックフィルムであれば透孔１１を通過して下方へ移動する。表面シート２が不織布であるにしても開孔プラスチックフィルムであるにしても、シート２には尿を通過させるために開孔１１よりも小さな径の透孔１５を多数形成しておくことができる。
【００１０】
裏面シート３は、プラスチックフィルム、より好ましくは通気不透液性のプラスチックフィルムで形成されている。このフィルムの肌触りをよくするために、フィルム外面を不織布で被覆することができる。
【００１１】
頂部シート６と底部シート７とは、繊度１〜１００ｄｔｅｘの繊維を少なくとも５０重量％含む熱可塑性合成繊維１００〜５０重量％と高吸水性繊維および高吸水性樹脂粒子のいずれか０〜５０重量％とからなるもので、５０〜１０００ｇ／ｍ２の坪量と、２ｇ／ｃｍ２の荷重下において少なくとも５ｍｍの厚さとを有する。熱可塑性合成繊維は、溶着や接着、機械的な絡み合い等によって互いに交絡して繊維集合体を形成していることが好ましく、その繊維集合体は、３５ｇ／ｃｍ２の荷重下での厚さが２ｇ／ｃｍ２の荷重下で測定した当初の厚さの４０％以上となり、再び２ｇ／ｃｍ２の荷重に戻したときには、当初の厚さの７０％以上にまで弾性的に回復し得るものであることが好ましい。高吸水性繊維は、熱可塑性合成繊維と混合されて互いに交絡していることが好ましく、高吸水性樹脂粒子は接着等によって熱可塑性合成繊維の表面に接合していることが好ましい。かかる繊維や粒子形態の高吸水性成分は、頂部シート６と底部シート７との両シートに含まれることもあれば、どちらか一方のシートだけに含まれることもある。特に、それが底部シート７にだけ含まれている場合には、パッド１へ流入する尿が肌から遠く離れて捕捉されることになるので、尿によって肌がかぶれるという恐れがなくなる。
【００１２】
頂部シート６は、それを形成している繊維集合体の繊維間隙が軟便の通過を可能にするように大きな場合には、繊維集合体をそのまま表面シート２の内面に当接させて使用することができる。また、繊維間隙がそのように大きくない場合には、図示例のように表面シート２の透孔１１に形状と位置とがほぼ一致し、少なくとも５ｍｍ、より好ましくは１０ｍｍの径を有する透孔１２を少なくとも１つ形成して使用することが好ましい。かような頂部シート６は、着用者の肌に向かって凸となり、底部シート７との間には空間部分８が形成されるように湾曲した状態で底部シート７の周縁部分に当接していることが好ましい。そうすることによって、パッド１が肌によく密着するようになる。頂部シート６は、それを形成している繊維集合体を加熱下で成形することによって湾曲させることができる。両シート６，７は、必要があれば、溶着や接着によって周縁部分どうしを接合することができる。
【００１３】
底部シート７は、頂部シート６と向かい合う内面に溝１３を有する。溝１３の断面形状や、それが延びる方向に格別の制約はないが、その断面形状が図示例のようにコの字形やＵ字形である場合には、少なくとも２ｍｍの幅と深さとを有していることが好ましく、また、パッド１の長さ方向と幅方向とに延びていることが好ましい。その長さ方向と幅方向とに対して複数条の溝１３を形成して、溝１３どうしを互いにつなげることもできる。底部シート７を形成している繊維集合体の繊維間隙は、頂部シート６のそれよりも大きくする。このように、頂部シート６の繊維間隙を小さく、底部シート７の繊維間隙を大きくすると、空間部分８における軟便は、底部シート７方向へ移動容易であるが頂部シート６方向へは移動し難いという傾向が生じ、この傾向は、便保持部４から外へ向かっての軟便の逆流を抑制するという効果を奏する。
【００１４】
空間部分８は、着用前のパッド１において、少なくとも５０×４０ｍｍの広がりを有し、その広がりの中央部分において５〜１５ｍｍの高さを有していることが好ましい。
【００１５】
このように形成されたパッド１は、これを使い捨ておむつやブリーフ型のパンツ等の股下域に取り外し可能に固定して着用することができる。パッド１では、便、特に軟便が、表面シート２と頂部シート６の透孔１１，１２を通過して空間部分８へ入ることによってパッド着用者の肌から隔離され、肌の汚れやかぶれの原因になることがない。パッド１に体圧がかかり、頂部シート６と底部シート７とが接近して空間部分８が潰されるような状態では、軟便が両シート６，７間に空間として残された溝１３へ流入することによって、頂部シート６方向へ、つまり着用者の肌へ向かう方向へ逆流するということを防ぐことができる。また、溝１３の中では、便が溝１３を伝ってパッド１の長手方向や幅方向へ移動し易いので、この意味においても溝１３は便の逆流を防ぐことができる。溝１３は、頂部シート６と底部シート７とに形成されていてもよく、頂部シート６にだけ形成されていてもよい。頂部シート６に形成される溝１３は、透孔１２につなげられていることが好ましい。
【００１６】
このように使用されるパッド１では、おむつやパンツの内面に固定するための手段、例えばフック部材とループ部材とで構成されるメカニカルファスナのフック部材や粘着テープ等を裏面シート３の外面に取り付けておくことができる。また、パッド１を使い捨ておむつの透液性表面シートに対して固定して使用するときには、パッド１の裏面シート３に透液性のものを使用することができる。そのようなパッド１では底部シート７で便の固形分を捕捉し、便の水分は裏面シート３を通過させて使い捨ておむつの吸液性コアで捕捉することによって、水分をパッド着用者の肌からできるだけ遠くへ隔離し、肌のかぶれをより効果的に防止することができる。
【００１７】
図３は、この発明の実施態様例を示す図２と同様な図面である。このパッド１の底部シート７の内面は、断面で見たときに、多数の円弧２１が幅方向で反復するように形成され、隣り合う円弧２１と２１との間に溝１３が形成されている。底部シート７では、軟便が内面の円弧に沿って流れて溝１３へ移動し易く、溝１３の中ではパッド１の長手方向へ移動し易い。それゆえ、このパッド１では、軟便を保持するために長手方向の全体を活用することができる。円弧２１は、底部シート７と頂部シート６とに形成されていてもよく、また頂部シート６だけに形成されていてもよい。
【００１８】
図４もまた、この発明の実施態様例を示す図２と同様な図面である。このパッド１では、頂部シート６の内面に長手方向へ平行して延びる複数条のリブ２２が形成されている。リブ２２は、内面が平坦に形成された底部シート７に向かって突出している。リブ２２と２２との間には、図において下向きの溝１３が形成されている。パッド１に体圧が作用して頂部シート６と底部シート７とが接近すると、リブ２２が底部シート７の内面に当接する。リブ２２と２２との間では、頂部シート６と底部シート７とが離間し、軟便の移動に必要な空間である溝１３の形状が保たれている。軟便は、溝１３の中でパッド１の長手方向へ移動する。リブ２２は、頂部シート６や底部シート７の例えば幅方向中央部に１条だけ形成されている場合でも、頂部シート６と底部シート７との間に空間を形成することができる。その場合のリブ２２は、互いに接近する両シート６，７をリブ２２の高さだけ離間させ、リブ２２の両サイドに実質的に溝１３として作用する空間を形成することができる。リブ２２は、頂部シート６と底部シート７とに形成されていてもよいし、底部シート７にだけ形成されていてもよい。
【００１９】
図５もまた、実施態様例を示す図２と同様な図面である。このパッド１は、頂部シート６と底部シート７との間にこれら両シートを大きく離間させることができる側部シート２３を有する。このような構造のパッド１では、頂部シート６と底部シート７と側部シート２３とによって大きな容積の空間部分８を有する便保持部４を形成することができる。
【００２０】
図６もまた、この発明の実施態様例を示す図２と同様な図面である。このパッド１は、底部シート７の下面側に粉砕パルプ、粉砕パルプと高吸収性樹脂粒子との混合物等からなる吸液性コア２６を有する。コア２６は、底部シート７と同じ大きさに作ることもできるし、底部シート７よりも大きく作ることもできる。図示例では、表面シート２が頂部シート６とコア２６との上面を覆い、裏面シート３がコア２６の下面を覆っている。かかるパッド１は、その外形を使い捨ておむつの周知形状にして便保持部４が肛門周辺に当接するようにすれば、使い捨ておむつとして使用することもできる。
【００２１】
【発明の効果】
この発明に係る使い捨て着用物品は、互いに離間対向する頂部シートと底部シートとで便保持部を形成し、これら両シートが互いに接近しても両シート間に空間を維持するための溝やリブからなる手段を有するから、この着用物品に体圧が作用しても、便は離間手段に沿って移動して、物品着用者の肌へ向かって逆流するということがない。
【図面の簡単な説明】
【図１】着用物品の斜視図。
【図２】図１のＩＩ−ＩＩ線断面図。
【図３】実施態様例を示す図２と同様な図面。
【図４】他の実施態様例を示す図２と同様な図面。
【図５】さらに他の実施態様例を示す図２と同様な図面。
【図６】さらに他の実施態様例を示す図２と同様な図面。
【符号の説明】
１    着用物品（パッド）
２    透液性シート（表面シート）
４    便保持部
６    頂部シート
７    底部シート
８    空間部分
１２  透孔
１３  溝
２２  リブ
２６  コア
【図１】
0003929226.tif 000002
【図２】
0003929226.tif 000003
【図３】
0003929226.tif 000004
【図４】
0003929226.tif 000005
【図５】
0003929226.tif 000006
【図６】
0003929226.tif 000007